(57)【特許請求の範囲】
【請求項１】
持続時間Ｔ秒の通信スロットの信号が１周期当たりｄ個通信され、各周期で同一位相となる通信スロットの信号の通信により伝送速度がＲ／ｎビット毎秒の無線通信チャネルが実現されるＴＤＭＡ方式の無線通信を行い、Ｒビット毎秒の伝送速度で連続的に入力されるデータをｎ個（ｎは、２≦ｎ≦ｄを満たす整数）の前記無線通信チャネルにより送信する送信部と、前記ｎ個の無線通信チャネルより受信した信号から、前記送信部に入力されたデータを再生し、再生したデータをＲビット毎秒の伝送速度で連続的に出力する受信部とを少なくとも１対有するデジタル無線通信システムであって、
前記送信部は、
前記入力されたデータをｋビットのブロック（ｋは、Ｒ×Ｔの約数であり、かつ、ｎの倍数）に分割し、分割したブロックを（ｋ／ｎ）ビットのｎ個の分割ブロックに並列化し、並列化した各ｎ個の分割ブロック群が時間方向に連結された、前記ｎ個の無線通信チャネルに１対１に対応するｎ個のデータ列を生成するデータ分割手段と、
生成された前記ｎ個のデータ列の各々が、当該データ列を送る通信スロットの位相差と同じ位相差をもって送られるように、前記ｎ個のデータ列の各々を分割し、分割したデータ列を前記対応する通信スロットにより送信するチャネル多重手段とを有し、
前記受信部は、
前記ｎ個の通信スロットにより前記ｎ個のデータ列を受信し、前記通信スロット間の位相差と同じ位相差をもって、前記ｎ個のデータ列を並行して再生するチャネル分離手段と、
再生されたｎ個のデータ列の各々を、（ｋ／ｎ）ビットの分割ブロックに分割し、並行して得られたｎ個の分割ブロックを直列化することで前記ｋビットのブロックを再生し、再生したブロックより、前記送信部に入力されたデータを再生するデータ合成手段とを有し、
前記送信部に入力されたデータの通信に用いられるｎ個の通信スロットの内の任意の２つの通信スロット間の位相差が、ｍ×Ｔ秒（ｍは、１≦ｍ＜ｄを満たす整数）のとき、前記２つの通信スロットの内の先行する通信スロットで送信される分割ブロックの内の先頭からｉ番目（ｉは、ｉ＞ｍ×Ｒ×Ｔ／ｋを満たす整数）の分割ブロックは、後行する通信スロットで送信される分割ブロックの内の先頭から（ｉ−ｍ×Ｒ×Ｔ／ｋ）番目の分割ブロックとともに、同じ前記ｋビットのブロックから分割されたものとなること
を特徴とするデジタル無線通信システム。
【発明の詳細な説明】
【０００１】
【発明の属する技術分野】
本発明は、端末間の１つの通信チャネルに、１周期当たり複数個の通信スロットを割り当てて時分割多元接続（ＴＤＭＡ）方式の無線通信を行うＴＤＭＡ方式無線通信システムに関するものである。
【０００２】
【従来の技術】
デジタル自動車電話システムやパーソナルハンディフォンシステム（ＰＨＳ）などの無線通信システムでは、デジタル方式の無線通信により、移動端末間や、移動端末と有線網の端末間のデジタル通信を実現している。この無線通信システムでは、無線通信のアクセス方式としてＴＤＭＡ方式を採用する場合が多い。
【０００３】
図８に、ＴＤＭＡ方式の無線通信を採用しているパーソナルハンディフォンシステムの基地局の構成例を示す。また、図９、図１０に、そのシステムにおいて通信される信号のタイミングの一例を示す。図８の（ａ）に示す送信系１０において、有線網の各端末より送信された音声データは６４[kb/s：キロビット毎秒]で伝送され、有線網Ｉ／Ｆ部１１を介して音声コーデック１２に入力される。音声コーデック１２では、入力信号になされている有線網用の符号化方式を圧縮率のより大きい音声符号化方式に変換することで入力信号のデータ量を低減し、変換後の入力信号を３２[kb/s]の伝送速度でＴＤＭＡチャネル多重部１７に供給する。ＴＤＭＡチャネル多重部１７に供給された信号は、信号変換部１３を介してフレーム構成部１４に入力され、そこでＴＤＭＡ多重化信号のフレームの形式に変換される。これにより得られるフレームには、通信データの他に、ユニークワード（ＵＷ）などの制御ビットが設定される。各フレーム構成部１４で生成されたフレーム信号は、１周期当たり８通信スロットのＴＤＭＡ多重化信号の各通信スロットで送られるように、タイミング生成部１５で生成されたタイミング信号に従って、ＴＤＭＡ多重部１６で時分割で多重化された後、ＲＦ系送信部１８で無線信号に変換されて移動端末側へ送信される。このシステムを介して端末Ａと端末Ｂが通信を行っている場合、端末Ａから端末Ｂへの通信チャネルには、図９に示すように１周期当たり１つの通信スロット９０４（９０５）が予め割り当てられ、同様に、逆方向の通信にも、１周期当たり１つの通信スロット９０６が割り当てられている。
【０００４】
移動端末も、上記と同じ機能の音声コーデック、ＴＤＭＡチャネル多重部（ただし、１チャネルの多重化）、ＲＦ系送信部を有し、上記と同じ形式のフレーム信号を生成して、割り当てられた１周期当たり１つの通信スロットにより送信する。図８の（ｂ）に示す受信系２０で、移動端末より無線で送られたＴＤＭＡ多重化信号（図１０の信号Ｓ１）は、ＲＦ系受信部２８で受信されＴＤＭＡチャネル分離部２７に入力される。ＴＤＭＡチャネル分離部２７では、ＵＷ検出部２６がＴＤＭＡ多重化信号のユニークワードを調べることで各通信スロットの先頭を検出し、その検出結果に応じてタイミング生成部２５がタイミング信号を生成する。各通信スロット抜出部２４は、上記タイミング信号に従って、対応する通信スロットで送られたフレーム信号（信号Ｓ２）を抽出する。抽出された各フレーム信号は、信号変換部２３でＴＤＭＡ多重化信号の１周期の長さの３２[kb/s]の信号（信号Ｓ３）に変換され、その通信に用いられた通信スロットの受信時刻から所定の位相差（Ｔｄ秒）で出力される。そして、音声コーデック１２で符号化方式を再び有線網用の音声符号化方式に変換された後、６４[kb/s]の伝送速度で有線網Ｉ／Ｆ部１１から有線網の端末へ送信される（信号Ｓ４）。
【０００５】
以上のシステムのように、ＴＤＭＡ方式の無線通信システムでは、端末が送受信する音声データを音声コーデックにおいて圧縮・伸長することで、端末が送受信するデータの伝送速度（６４[kb/s]）と、無線区間における１通信チャネル当たりの伝送速度（３２[kb/s]）の差を吸収している。しかし、端末間でトランスペアレントにデータを通信する場合には、音声コーデックの符号化方式の変換によるデータの内容の変化を防がなければならない。ただし、符号化方式の変換を行わないようにした場合には、通信データの量の増大により、端末間で通信されるデータを無線区間で遅延無く転送することができなくなる。
【０００６】
この問題を解決する方法の一つとして、ＴＤＭＡ多重化信号の１周期当たり複数個の通信スロット（すなわち、複数の無線通信チャネル）を端末間の１つの通信チャネルの通信用に割り当てることで、無線区間での伝送量を高める方法がある。しかし、この方法を用いる場合、無線通信システムでは、端末より送られるデータ信号を、ＴＤＭＡ多重化信号の複数の通信スロットの信号に分割し、また、複数の通信スロットの信号を合成して１つのデータ信号を生成する制御が必要となる。この場合には、データ信号の分割および合成をどのように行うかが問題となる。
【０００７】
【発明が解決しようとする課題】
図１０で説明したシステムように、ＴＤＭＡ方式の無線通信システムのチャネル分離部では、通信スロットにより受信した通信データを、その受信時から所定の位相差（Ｔｄ）で出力し始め、ＴＤＭＡ多重化信号の１周期の時間かけて出力し終わる構成が一般的である。このとき、通信データの再生は、他の通信スロットとの位相差と全く関係なしに行われる。しかし、端末間の１つの通信チャネルに、１周期当たり複数の通信スロットを用いる方法で、例えば、端末から送信されたデータを通信スロットの通信データ毎に分割して送信する場合には、その送信に利用する通信スロット間の位相差に応じて送受信する通信データのタイミングを調整しなければならない。この場合には、送信側および受信側の装置において、通信データを格納する大容量のバッファ回路と、その入出力タイミングを通信スロット間の位相差に応じて制御する手段が必要となる。
【０００８】
そこで、本発明は、端末間の１つの通信チャネルに１周期当たり複数個の通信スロットを割り当てた、端末間の高速なデータ通信を、大容量のバッファ回路や複雑なタイミング制御を用いずに実現することを目的とする。
【０００９】
【課題を解決するための手段】
上記課題を解決するために、本発明のシステムは、持続時間Ｔ秒の通信スロットの信号が１周期当たりｄ個通信され、各周期で同一位相となる通信スロットの信号の通信により伝送速度がＲ／ｎビット毎秒の無線通信チャネルが実現されるＴＤＭＡ方式の無線通信を行い、Ｒビット毎秒の伝送速度で連続的に入力されるデータをｎ個（ｎは、２≦ｎ≦ｄを満たす整数）の前記無線通信チャネルにより送信する送信部と、前記ｎ個の無線通信チャネルより受信した信号から、前記送信部に入力されたデータを再生し、再生したデータをＲビット毎秒の伝送速度で連続的に出力する受信部とを少なくとも１対有するデジタル無線通信システムであって、前記送信部は、前記入力されたデータをｋビットのブロック（ｋは、Ｒ×Ｔの約数であり、かつ、ｎの倍数）に分割し、分割したブロックを（ｋ／ｎ）ビットのｎ個の分割ブロックに並列化し、並列化した各ｎ個の分割ブロック群が時間方向に連結された、前記ｎ個の無線通信チャネルに１対１に対応するｎ個のデータ列を生成するデータ分割手段と、生成された前記ｎ個のデータ列の各々が、当該データ列を送る通信スロットの位相差と同じ位相差をもって送られるように、前記ｎ個のデータ列の各々を分割し、分割したデータ列を前記対応する通信スロットにより送信するチャネル多重手段とを有し、前記受信部は、前記ｎ個の通信スロットにより前記ｎ個のデータ列を受信し、前記通信スロット間の位相差と同じ位相差をもって、前記ｎ個のデータ列を並行して再生するチャネル分離手段と、再生されたｎ個のデータ列の各々を、（ｋ／ｎ）ビットの分割ブロックに分割し、並行して得られたｎ個の分割ブロックを直列化することで前記ｋビットのブロックを再生し、再生したブロックより、前記送信部に入力されたデータを再生するデータ合成手段とを有することを特徴とする。
【００１０】
本発明のシステムで、送信部に入力されたデータは、ｎ個の分割ブロックに並列化されて時間方向に連結されることでｎ個のデータ列となり、送信に使用される通信スロットの位相差に応じて分割され、送信される。受信部では、受信に使用された通信スロット間の位相差に応じてｎ個のデータ列を再生し、それに送信部での操作とは逆の、分割、直列化を施すことで、送信部に入力されたデータを再生する。このとき、受信部で再生されたｎ個のデータ列は、割り当てられたｎ個の通信スロット間の位相差に関係なく、送信部で生成されたｎ個のデータ列と同一内容、同一位相差となる。このため、本発明のシステムでは、大容量のバッファ回路や複雑なタイミング制御を用いることなく、端末間の高速なデータ通信を実現することができる。
【００１１】
【発明の実施の形態】
以下で、本発明の実施形態を図面を用いて説明する。
【００１２】
図１に、本発明の実施の形態に係るパーソナルハンディフォンシステムを用いた通信網の構成例を示す。図１で、移動端末１０１と情報端末１１０は移動局を構成し、移動端末１０１は、基地局１０２とＴＤＭＡ方式の無線通信を行う。基地局１０２は、加入者交換機１０４を介して有線デジタル網１０５に接続される。情報端末１１１も、有線通信端末１０６を介して有線デジタル網１０５に接続される。
【００１３】
情報端末１１０は、移動端末１０１との間で有線デジタル網の通信チャネルの伝送速度である６４[kb/s]でデータ信号を受け渡しする。移動端末１０１は、基地局１０２に対し３２[kb/s]の２つの通信チャネルを使用できるように要求し、それに応じて基地局１０２は２つの通信チャネル１０７，１０８を移動端末１０１用に設定する。移動端末１０１は、情報端末１１０から受け取ったデータ信号を２つの通信チャネル信号に分割し、通信チャネル１０７，１０８により基地局１０２へ送信する。また、移動端末１０１は２つの通信チャネル１０７，１０８において受信した信号を１つの６４[kb/s]の信号に合成し情報端末１１０へ送信する。
【００１４】
一方、基地局１０２では、２つの通信チャネル１０７，１０８で受信した各通信チャネル信号を１つの６４[kb/s]の信号に合成し、有線デジタル加入者線１０３を介して加入者交換機１０４に送信する。また、基地局１０２は、デジタル加入者線１０３を通して受信した６４[kb/s]の有線デジタル網通信チャネル信号を２つの３２[kb/s]の通信チャネル信号に分割し、無線区間の２つの通信チャネル１０７，１０８により個別に移動局に送信する。
【００１５】
なお、図１で、情報端末１１０と移動端末１０１間の機能分担、有線通信端末１０６と情報端末１１１間の機能分担はそれぞれ任意である。また、情報端末１１０と移動端末１０１を１つの装置として構成し、有線通信端末１０６と情報端末１１１を１つの装置として構成してもよい。
【００１６】
図２は、基地局１０２の構成を示すブロック図である。図２の（ａ）は送信系２１０の構成を示し、図２の（ｂ）は受信系２５０の構成を示す。
【００１７】
送信系２１０は、有線デジタル加入者線１０３に接続される有線網Ｉ／Ｆ部２１１と、符号化方式の変換を行う音声コーデック２１２と、スイッチ２１９，２２１と、有線網Ｉ／Ｆ部２１１で受信された１つの通信チャネル信号を２つの通信チャネル信号に分割する通信チャネル分離回路２２０と、ＴＤＭＡ多重化信号を生成するＴＤＭＡチャネル多重部２１７と、ＴＤＭＡ多重化信号を無線で送信するＲＦ系送信部２１８を有する。有線網Ｉ／Ｆ部２１１、音声コーデック２１２、スイッチ２２１は、それぞれ有線デジタル加入者線１０３のｍ個の回線に対応してｍ個設けられている。また、ＴＤＭＡチャネル多重部２１７は、有線デジタル加入者線１０３に対応して設けられた各ｍ個の信号変換部２１３、フレーム構成部２１４と、タイミング生成部２１５と、ＴＤＭＡ多重部２１６を有する。なお、このＴＤＭＡチャネル多重部２１７には、図８に示した従来のＴＤＭＡチャネル多重部１７をそのまま流用することができる。
【００１８】
受信系２５０は、無線で送られるＴＤＭＡ多重化信号を受信するＲＦ系受信部２２８と、受信されたＴＤＭＡ多重化信号を各通信チャネル信号に分割するＴＤＭＡチャネル分離部２５７と、スイッチ２５９，２６１と、音声コーデック２１２と、有線網Ｉ／Ｆ部２１１と、ＴＤＭＡチャネル分離部２５７で分割された２つの通信チャネル信号を合成して１つの通信チャネル信号を得る通信チャネル合成回路２６０を有する。有線網Ｉ／Ｆ部２１１、音声コーデック２１２、スイッチ２５９は、それぞれ有線デジタル加入者線１０３の回線に対応してｍ個設けられている。また、ＴＤＭＡチャネル分離部２５７は、有線デジタル加入者線１０３に対応して設けられた各ｍ個の信号変換部２５３、スロット抜出部２５４と、タイミング生成部２５５と、ＵＷ検出部２５６を有する。なお、このＴＤＭＡチャネル多重部２１７にも、図８に示した従来のＴＤＭＡチャネル分離部２７をそのまま流用することができる。
【００１９】
図３は、移動端末１０１の構成を示すブロック図である。図３の（ａ）は送信系３１０の構成を示し、図３の（ｂ）は受信系３５０の構成を示す。
【００２０】
送信系３１０は、マイク３１１からの音声信号を符号化する音声コーデック３１２と、情報端末１１０に接続される有線網Ｉ／Ｆ部３１３と、有線網Ｉ／Ｆ部３１３で受信された情報端末１１０の通信チャネル信号を２つの通信チャネル信号に分割する通信チャネル分離回路３１４と、スイッチ３１５と、通信チャネル分離回路３１４で分割された２つの通信チャネル信号よりＴＤＭＡ多重化信号を生成するＴＤＭＡチャネル多重部３２０と、生成されたＴＤＭＡ多重化信号を無線で送信するＲＦ系送信部３２１を有する。ＴＤＭＡチャネル多重部３２０は、各２個の信号変換部３１６、フレーム構成部３１７と、タイミング生成部３１８と、ＴＤＭＡ多重部３１９を有しており、多重化する通信チャネルが２つである点を除き、基地局１０２のＴＤＭＡチャネル多重部２１７（図２）と同じ機能を有する。
【００２１】
受信系３５０は、無線で送られるＴＤＭＡ多重化信号を受信するＲＦ系受信部３６１と、受信されたＴＤＭＡ多重化信号から２つの通信チャネル信号を分離するＴＤＭＡチャネル分離部３６０と、スイッチ３５５と、復号化により音声信号を生成しスピーカ３５１へ供給する音声コーデック２１２と、スイッチ３５５と、ＴＤＭＡチャネル分離部３６０で分離された２つの通信チャネル信号を１つの通信チャネル信号に合成する通信チャネル合成回路３５４と、合成された通信チャネル信号を情報端末１１０に送信する有線網Ｉ／Ｆ部３５３を有する。ＴＤＭＡチャネル分離部３６０は、各２個の信号変換部３５６、スロット抜出部３５７と、タイミング生成部３５８と、ＵＷ検出部３５９を有しており、分離する通信チャネルが２つである点を除き、基地局１０２のＴＤＭＡチャネル分離部２５７（図２）と同じ機能を有する。
【００２２】
次に、移動端末１０１と基地局１０２の動作を、図４を用いて説明する。
【００２３】
ここでは、情報端末１１０から情報端末１１１へデータを送る通信チャネルに、ＴＤＭＡ多重化信号の隣接する２つの通信スロットが割り当てられ、情報端末１１０から情報端末１１１へ６４[kb/s]のデータ通信が行われる場合を説明する。
【００２４】
移動端末１０１の送信系３１０において、情報端末１１０の６４[kb/s]の送信信号Ｓ（図４の４０１）は、有線網Ｉ／Ｆ部３１３で受信され、通信チャネル分離回路３１４に取り込まれる。通信チャネル分離回路３１４は、取り込んだ信号を８ビット毎のブロックに区切り、ブロック毎の８ビットのデータ（４０２）を、その上位４ビットからなる分割ブロックＡと、下位４ビットからなる分割ブロックＢに分割する。そして、分割ブロックＡの列である通信チャネル信号Ａ（４０３）と、分割ブロックＢの列である通信チャネル信号Ｂ（４０４）を並行してＴＤＭＡチャネル多重部３２０に送る。これにより、情報端末１１０の送信信号Ｓは、通信チャネル信号Ａ，Ｂに分割されて３２[kb/s]の伝送速度でＴＤＭＡチャネル多重部３２０に入力される。ＴＤＭＡチャネル多重部３２０に入力された各通信チャネル信号Ａ，Ｂは、信号変換部３１６で所定の変換処理を施された後、フレーム構成部３１７に送られる。フレーム構成部３１７は、各通信チャネル信号Ａ，Ｂを１６０ビットの通信データに分割し、それにユニークワード（ＵＷ）などの制御ビットを付加することで２４０ビットのフレーム信号Ａ，Ｂを生成する。生成された各フレーム信号Ａ，Ｂは、ＴＤＭＡ多重部３１９で１つの信号に合成された後、ＲＦ系送信部３２１で無線信号に変換されて基地局１０２へ送信される。このとき、各通信チャネル信号Ａ，Ｂの通信には、ＴＤＭＡ多重化信号の１周期８スロットの内の隣接する２つのスロット（４０６，４０７）が割り当てられている。このスロット４０６，４０７の位置にフレーム信号Ａ，Ｂが配置されるように、タイミング生成部３１８はタイミング信号によりＴＤＭＡチャネル多重部３２０の各部を制御する。これにより、各通信チャネル信号Ａ，Ｂは、通信スロットの幅Ｔ＝６２５[μｓ]だけの位相差（２０ビット）で１６０ビット毎の通信データに分割される。
【００２５】
一方、移動端末１０１より無線で送信されたＴＤＭＡ多重化信号は、基地局１０２の受信系２５０のＲＦ系受信部２２８で受信されＴＤＭＡチャネル分離部２５７に入力される。ＴＤＭＡチャネル分離部２５７では、ＵＷ検出部２５６がＴＤＭＡ多重化信号の各スロットに設定されたユニークワードを調べることで各スロットの先頭を検出し、その検出結果に応じてタイミング生成部２５５がタイミング信号を生成する。各スロット抜出部２５４は、上記タイミング信号に従って、受信されたＴＤＭＡ多重化信号から、対応する通信スロットのフレーム信号を抽出し、そこに設定された通信データを抽出する。抽出された各通信データは、通信スロットの位相差に応じた位相を持った３２[kb/s]の通信チャネル信号Ａ’，Ｂ’（４０８，４０９）となって各信号変換部２５３からスイッチ２５９に出力される。ここで、通信チャネル信号Ａ’，Ｂ’は、その受信に使用された通信スロット間の位相差Ｔと等しい位相差（２０ビット）で出力され、３２[kb/s]の伝送速度で通信チャネル合成回路２６０に送られる。通信チャネル合成回路２６０は、送られた通信チャネル信号Ａ’，Ｂ’をそれぞれ４ビットの分割ブロックＡ’，Ｂ’に分割していき、同時に分割して得た分割ブロックＡ’，Ｂ’をそれぞれ上位４ビット、下位４ビットするブロックのデータ（４１１）を生成し、それを連結して行く。これにより、通信チャネル信号Ａ’，Ｂ’から６４[kb/s]の通信チャネル信号（４１０）が生成される。生成された通信チャネル信号４１０は、スイッチ２６１と有線網Ｉ／Ｆ部２１１を介して、デジタル加入者線１０３に送出され、有線デジタル網１０５と有線通信端末１０６を介して情報端末１１１に送られる。
【００２６】
情報端末１１１から情報端末１１０へのデータ通信にも、上記２つの通信スロットとは異なる２つの通信スロットが割り当てられ、基地局１０２の送信系２１０と、移動端末１０１の受信系３１０において、上記と同様の動作が行われる。
【００２７】
以上では情報端末１１０，１１１間のデータ通信に、ＴＤＭＡ無線信号の隣接する通信スロットが割り当てられた場合を説明したが、本実施形態では割り当てられる２つの通信スロットの位置関係は任意である。送信側の通信チャネル信号Ａ，Ｂは、割り当てられた２つの通信スロット間の位相差と等しい位相差で１６０ビット毎の通信データに分割され、受信側でもそれと同一の位相差で受信・再現される。このため、割り当てられた２つの通信スロット間の位相差に関係なく、分割ブロックＡ’と分割ブロックＢ’は受信側で、分割前の状態に合成される。
【００２８】
なお、本実施形態のシステムでは、分割ブロックのビット数が４であるため、図１１に示すような信号形式で通信を行うこともできる。
【００２９】
以上のように、本実施形態のシステムでは、移動端末１０１および基地局１０２のＴＤＭＡチャネル分離部２５７，３６０、ＴＤＭＡチャネル多重部２１７，３２０として、図８に示すような従来の回路を流用することができ、また、通信チャネル信号の分離・合成時のタイミング調整のために大容量のバッファ回路を設ける必要もない。このため、本実施形態のシステムは低コストに実現することが可能である。
【００３０】
次に、本発明の第２の実施形態に係るパーソナルハンディフォンシステムについて説明する。本実施形態は、装置内での処理遅延や、無線区間での伝送遅延により、受信または送信する通信スロット間の位相差が変化する場合においても、通信チャネル信号の合成・分離を正常に行うことを可能とする。
【００３１】
図５に、本実施形態の基地局１０２’の構成を示す。図５の（ａ）は送信系５１０の構成を示し、図５の（ｂ）は受信系５５０の構成を示す。受信系５５０は、各信号変換部５５３が通信データ毎の分割位置を通知するタイミング信号Ｃ１，Ｃ２を出力し、その信号に応じて通信チャネル合成回路５６０が通信チャネル信号の位相を調整する点が、前述した図２の受信系２５０と異なる。
【００３２】
図６の（ａ）に、送信系５１０の通信チャネル分離回路５２０の構成を示し、図６の（ｂ）に、受信系５５０の通信チャネル合成回路５６０の構成を示す。受信系５５０の信号変換部５５３から出力された２つの通信チャネル信号Ａ’，Ｂ’は、３２[kb/s]の伝送速度で通信チャネル合成回路５６０に入力される。通信チャネル合成回路５６０で、通信チャネル信号Ａ’は、Ｓ／Ｐ変換器６０１で４ビットの分割ブロックに変換され、遅延回路６０２でクロックＣＬＫの２．５クロック時間遅延された後、Ｐ／Ｓ変換器６０３に入力される。通信チャネル信号Ｂ’は、Ｓ／Ｐ変換器６０１で同様に変換された後、ラッチ回路群６０４にそれぞれ０〜１０クロック時間の位相差で取り込まれ、その内の１つがセレクタ６０５で選択されＰ／Ｓ変換器６０３に入力される。Ｐ／Ｓ変換器６０３は、位相調整された通信チャネル信号Ａ’，Ｂ’の分割ブロックをそれぞれ上位４ビット、下位４ビットとして再合成することで、６４[kb/s]の通信チャネル信号Ｒを生成して、有線網Ｉ／Ｆ部２１１に出力する。タイミング生成部６０７とセレクト信号生成部６０６は、信号変換部５５３からのタイミング信号Ｃ１，Ｃ２に応じてセレクタ６０５の切替制御を行い、通信チャネル信号Ａ’，Ｂ’の位相差が、送信側の装置における分割時の位相差（２０ビット）と一致するようにする。一方、送信系５１０の通信チャネル分離回路５２０では、有線網Ｉ／Ｆ部２１１で受信され、通信チャネル分離回路５２０で２つに分割された通信チャネル信号に対して位相調整を行う。通信チャネル合成回路５６０および通信チャネル分離回路５２０と同じ回路を移動端末１１３に設け、移動端末１１３にも合成・分離する通信チャネル信号の位相調整を行わせるようにしてもよい。
【００３３】
次に、移動端末１０１と基地局１０２’の動作を、図７を用いて説明する。ここでも、情報端末１１０から情報端末１１１へのデータ通信について説明する。
【００３４】
第１の実施形態と同様に、情報端末１１０から移動端末１０１へ送られた６４[kb/s]の送信信号Ｓ（７０１）は、２つの通信チャネル信号Ａ，Ｂ（７０２，７０３）に分割され、割り当てられた通信スロットの位相差Ｔと同じ位相差で分割、無線で送信される。これらのスロットは、基地局１０２’で受信されＴＤＭＡチャネル分離部において通信チャネル信号Ａ’，Ｂ’（７０７，７０８）に変換される。このとき、通信チャネル信号Ａ’，Ｂ’には、装置内での処理遅延や無線区間での伝送遅延により、通常よりも１分割ブロック時間分長い位相差が生じている。例えば、送信信号Ｓの６個目のブロック７１０は、送信側で同一位相の分割ブロック７１１，７１２に分割された後、受信側で１分割ブロック時間ずれた分割ブロック７１３，７１４となって通信チャネル合成回路５６０に入力される。通信チャネル合成回路５６０は、タイミング信号Ｃ１，Ｃ２に応じて、通信チャネル信号Ｂ’の位相を調整することで、通信チャネル信号Ａ’，Ｂ’間の位相を一致させ、両者を合成する。これにより、分割ブロック７１３，７１４は同一の位相となり、その結果、正常な通信チャネル信号Ｒ（７０９）が合成される。
【００３５】
以上のように、本実施形態のシステムでは、受信された通信スロットの信号から得られた通信チャネル信号の分割位置間の位相差が、送信側で分割された時の位相差と一致するように通信チャネル信号の位相を調整するため、装置内での処理遅延や、無線区間での伝送遅延により、受信または送信する通信スロット間の位相差が変化する場合においても、通信チャネル信号の合成・分離を正常に行うことができる。
【００３６】
ところで、以上２つの実施形態は、通信端末で送受信されるデータ信号の伝送速度Ｒ[kb/s]を６４とし、その通信に使用するＴＤＭＡ方式の無線通信チャネルの数ｎを２としているが、それらと異なる値のＲ，ｎを持つシステムも実現可能である。また、以上２つの本実施形態では、１通信スロット時間Ｔが６２５[μｓ]、その時間Ｔの間に伝送すべき有線デジタル網上の通信チャネル信号のビット数Ｒ×Ｔが４０、１ブロック当たりのビット数ｋが８である。しかし、このビット数ｋは、ビット数Ｒ×Ｔの約数であり、かつ、チャネル数ｎの倍数であれば、どうような値でもよい。
【００３７】
【発明の効果】
本発明によれば、端末間の１つの通信チャネルに１周期当たり複数個の通信スロットを割り当てた、端末間の高速なデータ通信を、大容量のバッファ回路や複雑なタイミング制御を用いずに実現することができる。
【図面の簡単な説明】
【図１】  本発明の第１の実施形態に係るＴＤＭＡ方式無線通信システム（ＰＨＳ）を用いた通信網の構成図。
【図２】  基地局の構成図。
【図３】  移動端末の構成図。
【図４】  本システムで処理・通信される信号のタイミング図。
【図５】  本発明の第２の実施形態に係るＴＤＭＡ方式無線通信システム（ＰＨＳ）の基地局の構成図。
【図６】  通信チャネル合成回路と通信チャネル分離回路の構成図。
【図７】  本システムで処理・通信される信号のタイミング図。
【図８】  従来のＴＤＭＡ方式無線通信システム（ＰＨＳ）の基地局の構成図。
【図９】  従来システムで処理・通信される信号のタイミング図（１）。
【図１０】  従来システムで処理・通信される信号のタイミング図（２）。
【図１１】  従来システムで処理・通信される信号のタイミング図（３）。
【符号の説明】
１０１  移動端末
１０２  基地局
１０５  有線デジタル網
１０６  有線通信端末
１０７，１０８  ＴＤＭＡ方式の無線区間通信チャネル
１１０，１１１  情報端末
２１０，５１０  基地局の送信系
２５０，５５０  基地局の受信系
３１０  移動端末の送信系
３５０  移動端末の受信系
２１８  ＲＦ系送信部
２２８   ＲＦ系受信部
２１７，３２０  ＴＤＭＡチャネル多重部
２５７，３６０  ＴＤＭＡチャネル分離部
２６０，３５４，５６０  通信チャネル合成回路
２２０，３１４，５２０  通信チャネル分離回路
４０１，４１０，７０１，７０９  有線デジタル網通信チャネル信号
４０２、７１０  ブロック
７１１，７１２，７１３，７１４  分割ブロック
４０５，７０４  ＴＤＭＡ多重化無線信号
４０６，４０７，７０５，７０６  通信スロット
【図１】
0003660431.tif 000002
【図２】
0003660431.tif 000003
【図３】
0003660431.tif 000004
【図４】
0003660431.tif 000005
【図５】
0003660431.tif 000006
【図６】
0003660431.tif 000007
【図７】
0003660431.tif 000008
【図８】
0003660431.tif 000009
【図９】
0003660431.tif 000010
【図１０】
0003660431.tif 000011
【図１１】
0003660431.tif 000012